(57)【要約】【課題】  通常電源またはスタンバイ電源で動作する回路を備えている装置について、その電源のＯＮ／ＯＦＦに対する装置動作の検査を行う際、何度もその電源のＯＮ／ＯＦＦ切替を行うことに少なからず人手等が掛かる。【解決手段】  自手段の動作のために供給される電力とは独立して供給される電力について、設定された切替間隔時間および切替回数でＯＮ／ＯＦＦ状態の切替を行う切替手段を備える。【選択図】      図３
2015207162.tif 000002
【特許請求の範囲】
【請求項１】
自手段の動作のために供給される電力とは独立して供給される電力について、設定された切替間隔時間および切替回数でＯＮ／ＯＦＦ状態の切替を行う切替手段を備えることを特徴とする装置。
【請求項２】
前記独立して供給される電力はスタンバイ回路に供給されるものであることを特徴とする請求項１に記載の装置。
【請求項３】
自工程のために供給される電力とは独立して供給される電力について、設定された切替間隔時間および切替回数でＯＮ／ＯＦＦ状態の切替を行う切替工程
を備えることを特徴とする装置の制御方法。
【請求項４】
前記独立して供給される電力はスタンバイ回路に供給されるものであることを特徴とする請求項３に記載の装置の制御方法。
【請求項５】
自ステップのために供給される電力とは独立して供給される電力について、設定された切替間隔時間および切替回数でＯＮ／ＯＦＦ状態の切替を行う切替ステップ
を備えることを特徴とする装置の制御プログラム。
【請求項６】
前記独立して供給される電力はスタンバイ回路に供給されるものであることを特徴とする請求項５に記載の装置の制御プログラム。
【発明の詳細な説明】
【技術分野】
【０００１】
本発明は、装置、方法およびプログラムに関する。
【背景技術】
【０００２】
通常電源、またはスタンバイ電源で動作する回路を備えている装置を検査する場合、通常電源またはスタンバイ電源のＯＮ／ＯＦＦに対する装置動作の検査が行われる。その検査は、電源を所定の時間間隔で所定回数ＯＮ／ＯＦＦさせてその後の装置の動作を検査するものである。このような装置において、一般的に、通常電源について装置に備わっている電源コントローラや電源スイッチなどで電源のＯＮ／ＯＦＦ切替がボタン等により行われる。このため、このような装置についてその検査を行うには、人手等により何度も電源のＯＮ／ＯＦＦ切替を行うことがあり、その人手等の負担が少なからずあることが懸念される。なお、通常電源で動作する回路は、装置が外部電源と接続されて電源スイッチ等がＯＮとなった状態で動作し、また、スタンバイ電源で動作する回路は、装置が外部電源と接続された状態で電源スイッチ等のＯＮ／ＯＦＦ状態に係らず動作する。通常電源のＯＮ／ＯＦＦとは、装置と外部電源とが接続された状態での電源スイッチのＯＮ／ＯＦＦであり、スタンバイ電源のＯＮ／ＯＦＦとは、装置と外部電源との接続／切断である。通常、スタンバイ電源のＯＮ／ＯＦＦを行う際には、通常電源で動作する回路についての影響を考慮し、電源スイッチ等をＯＦＦの状態にしておく。
【０００３】
このような問題を解決する技術が特許文献１に記載されている。
【０００４】
すなわち、特許文献１に記載のパーソナルコンピュータの電源オン／オフ検査方法は、パーソナルコンピュータにおいて、パワーマネージメント機能を利用して電源オフの動作を実行する。また、その検査方法は、パーソナルコンピュータにおいて、アラーム機能を利用して電源オンの動作を実行する。これにより、電源オン／オフ実行後、実際に電源がオン／オフしているかが検査される。特許文献１に記載の技術により、パーソナルコンピュータにおいて自身の機能を利用して電源オン／オフ検査を行うことが可能となる。
【先行技術文献】
【特許文献】
【０００５】
【特許文献１】特開平１０−１４９２３３号公報
【発明の概要】
【発明が解決しようとする課題】
【０００６】
特許文献１に記載の技術により、パーソナルコンピュータにおいて自身の機能を利用して電源オン／オフ検査を行うことが可能となる。しかしながら、その検査は、電源オフの動作を実行したときに実際に電源がオフしているか、または、電源オンの動作を実行したときに実際に電源がＯＮしているかを検査するものである。しかしながら、特許文献１に記載の技術では、連続的に何度も電源のＯＮ／ＯＦＦ切替を行う方法について記載されていない。さらに、スタンバイ電源で動作する回路を備えている装置において、その電源のＯＮ／ＯＦＦ切替が可能な電源コントローラや電源スイッチなどが備わっていなければ、前述の検査を行うには、その装置の電源ケーブル等の接続／切断を行うことになる。その場合、さらに人手等の負担が増えることが懸念される。
【０００７】
つまり、通常電源またはスタンバイ電源で動作する回路を備えている装置について、その電源のＯＮ／ＯＦＦに対する装置動作の検査を行う際、何度もその電源のＯＮ／ＯＦＦ切替を行うことに少なからず人手等が掛かることが課題である。
【０００８】
本発明の目的は、この課題を解決する装置、方法およびプログラムを提供することである。
【課題を解決するための手段】
【０００９】
本発明の装置は、自手段の動作のために供給される電力とは独立して供給される電力について、設定された切替間隔時間および切替回数でＯＮ／ＯＦＦ状態の切替を行う切替手段を備えることを特徴とする。
【００１０】
本発明の装置の制御方法は、自工程のために供給される電力とは独立して供給される電力について、設定された切替間隔時間および切替回数でＯＮ／ＯＦＦ状態の切替を行う切替工程を備えることを特徴とする。
【発明の効果】
【００１１】
本発明によれば、通常電源またはスタンバイ電源で動作する回路を備えている装置について、その電源のＯＮ／ＯＦＦに対する装置動作の検査を行う際、その電源のＯＮ／ＯＦＦ切替を行うことに掛かる人手等を低減することが可能となる。
【図面の簡単な説明】
【００１２】
【図１】本発明の第１の実施形態における装置の構成例を示す図である。
【図２】本発明の第１の実施形態における装置の動作を示すフローチャートである。
【図３】本発明の第２の実施形態における装置の構成例を示す図である。
【発明を実施するための形態】
【００１３】
本発明の第１の実施形態について、図面を参照して説明する。
【００１４】
本実施形態では、スタンバイ電源で動作する回路を備えている装置において、電源コントローラ等でスタンバイ電源を所定の時間間隔で所定回数ＯＮ／ＯＦＦする。
【００１５】
図１は本実施形態における装置の構成例を示す。装置１０は、電源制御部１１、出力制御部１２、通常電源１３、スタンバイ電源１４、電源コントローラ１５、電源１６を有する。なお、装置１０は通常電源およびスタンバイ電源で動作する回路を備えている。
【００１６】
電源制御部１１は、電源ＯＮ／ＯＦＦのフラグ、切替時間間隔、切替回数の設定を行うレジスタ１１１、電源ＯＮ／ＯＦＦの１状態の時間を計測するタイマー１１２、電源ＯＮ／ＯＦＦの切替回数のカウントを行うカウンタ１１３を有する。
【００１７】
出力制御部１２は、通常電源１３、スタンバイ電源１４の制御を行う。
【００１８】
電源コントローラ１５は、装置１０の電源のコントローラであり、コントローラ制御部１５１を有する。
【００１９】
なお、電源制御部１１、出力制御部１２、電源コントローラ１５は通常電源１３およびスタンバイ電源１４とは別の電源１６で動作する。
【００２０】
上述の構成例を踏まえ、本実施形態における装置１０の動作について、図１、図２を参照して説明する。なお、図２は本実施形態における装置の動作を示すフローチャートである。
【００２１】
ユーザにより電源１６がＯＮにされ、電源コントローラ１５でスタンバイ電源ＯＮ／ＯＦＦ動作開始の操作、設定値の入力が行われる。その設定は、例えば、電源ＯＮ／ＯＦＦの切替間隔時間および切替回数（１回以上）についてであり、それらの設定値は、それぞれ、例えば、５秒、７回であるとする。これにより、コントローラ制御部１５１がＩＣ２バス経由で装置１０の電源制御部１１のレジスタ１１１にスタンバイ電源ＯＮ／ＯＦＦ動作開始のフラグ（例えば、１）、電源ＯＮ／ＯＦＦの切替間隔時間（５秒）、電源ＯＮ／ＯＦＦの切替回数（７回）を設定する（Ｓ１）。また、スタンバイ電源ＯＮ／ＯＦＦ動作開始に際し、コントローラ制御部１５１は装置１０の通常電源１３をＯＦＦにする指示を示す信号（電源ＯＦＦ指示信号）を電源制御部１１に送信する。これは、前述の通り、スタンバイ電源のＯＮ／ＯＦＦを行う際に、電源スイッチ等をＯＦＦの状態にしておくためである。電源ＯＮ／ＯＦＦ動作開始のフラグの設定後、電源制御部１１は電源ＯＦＦ指示信号を受信すると、その信号を出力制御部１２に出力する。出力制御部１２はその信号が入力されると通常電源１３をＯＦＦにする制御を行う（Ｓ２）。また、出力制御部１２は同様にスタンバイ電源１４をＯＦＦにする制御を行う（Ｓ２）。次に、電源制御部１１はタイマー１１２を始動させる（Ｓ３）。電源制御部１１は、タイマー１１２の経過時間がレジスタ１１１に設定されている切替間隔時間（例では５秒）に到達すると（Ｓ４）、カウンタ１１３のカウンタ値（デフォルト：−１）に１を加算する（Ｓ５）。次に、電源制御部１１はカウンタ１１３のカウンタ値がレジスタ１１１に設定されている切替回数（例では７回）に到達しているかどうかを確認する（Ｓ６）。カウンタ値が設定切替回数に到達している場合（Ｓ６でＹｅｓ）は、電源制御部１１はレジスタ１１１に設定されているフラグの値を、例えば、０（スタンバイ電源ＯＮ／ＯＦＦ動作終了）に変更し、スタンバイ電源ＯＮ／ＯＦＦ動作が終了となる。なお、スタンバイ電源ＯＮ／ＯＦＦ動作の終了後、スタンバイ電源１４をＯＮの状態にする。カウンタ値が設定切替回数に到達していない場合（Ｓ６でＮｏ）は、電源制御部１１はスタンバイ電源のＯＮ／ＯＦＦを切替える指示を示す信号（スタンバイ電源ＯＮ／ＯＦＦ切替指示信号）を出力制御部１２に出力する（Ｓ７）。出力制御部１２はスタンバイ電源ＯＮ／ＯＦＦ切替指示信号が入力されるとスタンバイ電源１４のＯＮ／ＯＦＦを切替える制御を行う（Ｓ７）。このスタンバイ電源１４のＯＮ／ＯＦＦを切替える制御は、スタンバイ電源１４がＯＮになっているときはＯＦＦにさせ、ＯＦＦになっているときはＯＮにさせる制御である。このスタンバイ電源１４のＯＮ／ＯＦＦ切替制御後、Ｓ３の処理が行われる。
【００２２】
上述の例では、電源ＯＮ／ＯＦＦ動作開始後、スタンバイ電源１４がＯＦＦ状態になり、５秒後に、カウンタ１１３のカウンタ値が０になり、スタンバイ電源１４の１回目のＯＮ／ＯＦＦ切替が行われる。これにより、スタンバイ電源１４がＯＮ状態になり、５秒後に、カウンタ１１３のカウンタ値が１になり、スタンバイ電源１４の２回目のＯＮ／ＯＦＦ切替が行われる。これにより、スタンバイ電源１４がＯＦＦ状態になり、５秒後に、カウンタ１１３のカウンタ値が２になり、スタンバイ電源１４の３回目のＯＮ／ＯＦＦ切替が行われる。つまり、スタンバイ電源１４のｎ回目のＯＮ／ＯＦＦ切替が行われてＯＮかＯＦＦの状態で切替間隔時間経過した後に、カウンタ１１３のカウンタ値がｎになる。上述の例では、スタンバイ電源１４の７回目のＯＮ／ＯＦＦ切替が行われてＯＮ状態で５秒間経過した後に、カウンタ１１３のカウンタ値が７になる。このとき、そのカウンタ値はレジスタ１１１に設定されている切替回数（７回）に到達しており、スタンバイ電源ＯＮ／ＯＦＦ動作が終了となる。このように、スタンバイ電源１４のＯＮ／ＯＦＦ切替が７回行われる。
【００２３】
スタンバイ電源ＯＮ／ＯＦＦ動作の終了後、装置１０において、例えば、自身に備えられている、自身が正常に動作しているかを確認する起動試験機能等（スタンバイ電源で動作する）により、起動試験が行われる。ユーザは装置１０等に表示される起動試験結果を確認する。
【００２４】
なお、タイマー１１２、カウンタ１１３などによる構成は、レジスタ１１１に設定されている切替間隔時間や切替回数などに対する時間や回数などのモニターが可能であれば、他の構成でもよい。また、本実施形態では、スタンバイ電源のＯＮ／ＯＦＦ制御を行っているが、代わりに、スタンバイ電源もしくはスタンバイ電源で動作する回路への入力電力またはスタンバイ電源からの出力電力についてＯＮ／ＯＦＦ制御を行ってもよい。
【００２５】
以上のように、ユーザにより所定の設定が行われるだけで、スタンバイ電源について所定の切替時間間隔および切替回数でＯＮ／ＯＦＦ切替を行うことが可能となる。なお、通常電源についても本実施形態と同様な方法により所定の切替時間間隔および切替回数でＯＮ／ＯＦＦ切替を行うことが可能となる。
【００２６】
これにより、通常電源またはスタンバイ電源で動作する回路を備えている装置について、その電源のＯＮ／ＯＦＦに対する装置動作の検査を行う際、その電源のＯＮ／ＯＦＦ切替を行うことに掛かる人手等を低減することが可能となる。
【００２７】
次に、本発明の第２の実施形態について、図面を参照して説明する。
【００２８】
図３は本実施形態における装置の構成例を示す。装置２０は、切替部２１を備える。
【００２９】
切替部２１は、自身の動作のために供給される電力とは独立して供給される電力について、設定された切替間隔時間および切替回数でＯＮ／ＯＦＦ状態の切替を行う。
【００３０】
上述の構成例を踏まえ、本実施形態における装置２０の動作について、図３を参照して説明する。
【００３１】
ユーザにより装置２０で切替部２１に電力が供給され、電源ＯＮ／ＯＦＦの切替間隔時間および切替回数が設定され、切替部２１に供給される電力とは独立して供給される電力のＯＮ／ＯＦＦ切替が開始される。装置２０は、該電力について設定された切替間隔時間および切替回数でＯＮ／ＯＦＦ状態の切替を行う。
【００３２】
以上により、通常電源またはスタンバイ電源で動作する回路を備えている装置について、その電源のＯＮ／ＯＦＦに対する装置動作の検査を行う際、その電源のＯＮ／ＯＦＦ切替を行うことに掛かる人手等を低減することが可能となる。
【産業上の利用可能性】
【００３３】
本発明は、装置、方法およびプログラムに利用可能である。
【符号の説明】
【００３４】
１０、２０    装置
１１    電源制御部
１２    出力制御部
１３    通常電源
１４    スタンバイ電源
１５    電源コントローラ
１６    電源
２１    切替部
１１１    レジスタ
１１２    タイマー
１１３    カウンタ
１５１    コントローラ制御部
【図１】
2015207162.tif 000003
【図２】
2015207162.tif 000004
【図３】
2015207162.tif 000005